(57)【特許請求の範囲】
【請求項１】
上面に開口する断熱壁の開口縁に透明板を立設して成るショーケースにおいて、
前記断熱壁のコーナー部に立設された支柱部材と、この支柱部材に外側から固定されたカバー部材とを備え、
前記支柱部材は、上下に渡る基部と、この基部の両側から相互に略直角を成すよう外方に延在する内側挟持辺と、前記基部の下縁に設けられた取付辺とを有し、この取付辺が前記断熱壁に固定され、前記内側挟持辺は前記コーナー部において相互に付き合わされる前記透明板の各端部を内側から保持すると共に、
前記カバー部材は、両側部に設けられた外側挟持辺を有し、上下が前記支柱部材に固定され、前記外側挟持辺は、前記透明板の各端部を外側から保持することを特徴とするショーケース。
【請求項２】
支柱部材は、前記内側挟持辺の上縁に構成され、前記透明板の各上面を抑える抑え辺を備えると共に、前記透明板の各端部上面間に渡って前記支柱部材に取り付けられ、当該支柱部材及びカバー部材に被さるコーナーキャップを設けたことを特徴とする請求項１のショーケース。
【発明の詳細な説明】
【０００１】
【発明の属する技術分野】
本発明は、例えばスーパーマーケットやコンビニエンスストアなどの店内に据え付けられ、食品などの商品を陳列保存する低温ショーケースなどのショーケースに関するものである。
【０００２】
【従来の技術】
従来のこの種ショーケースは、例えば特開平７−２９４０９８号公報（Ｆ２５Ｄ２１／０４）に示されている。以下、図４〜図６を参照しながら従来のこの種ショーケースの構造について説明する。
【０００３】
図４のショーケースは所謂平型のオープンショーケースであり、上面に開口する矩形状の断熱壁１０５の開口縁四辺には、例えば二重板ガラスなどから成る透明板１００・・・が立設されている。この場合、断熱壁１０５の各辺に立設された透明板１００は、断熱壁１０５のコーナー部において相互に付き合わされるが、これらの間を連結する方法として、従来では図４に示す如く二枚の保持板１０１及び１０２を用い、それらを内外から各透明板１００、１００の各端部間に渡って宛い、両保持板１０１、１０２にて各透明板１００、１００の各端部を挟持した状態で両者１０１、１０２をネジ１０３にて止める方式が採られていた。
【０００４】
そして、両保持板１０１、１０２は図５に示す如くカバー１０４にて覆い、このカバー１０４を保持板１０１にネジ１０６にて固定するものであった。
【０００５】
また、その他の構造としては、図６に示す如く一方の透明板１００の端面に当接若しくは近接する抑え辺１１１と他方の透明板１００の裏面に当接若しくは近接する抑え辺１１２が折曲形成された支柱１１３を断熱壁１０６のコーナー部上面にネジ１１４にて固定し、その外側はカバー１１６を支柱１１３にネジ１１７にて固定して覆うものもあった。
【０００６】
【発明が解決しようとする課題】
しかしながら、図４、図５の構造では両保持板１０１、１０２にて単に透明板１００、１００の各端部を内外から挟持しているのみであり、各保持板１０１、１０２は透明板１００、１００を挟み込むことによって保持されているので、各透明板１００、１００のコーナー部の強度は極めて弱くなる。
【０００７】
また、図６の構造では支柱１１３が断熱壁１０５に固定されているものの、各透明板１００、１００を保持する効果は小さく、顧客や物品の衝突の衝撃によって簡単に倒れたり、位置ズレしてしまう問題があった。
【０００８】
本発明は係る従来の技術的課題を解決するために成されたものであり、ショーケースに立設される透明板のコーナー部における強度を向上させることを目的とするものである。
【０００９】
【課題を解決するための手段】
本発明のショーケースは、上面に開口する断熱壁の開口縁に透明板を立設して成るものであって、断熱壁のコーナー部に立設された支柱部材と、この支柱部材に外側から固定されたカバー部材とを備え、支柱部材は、上下に渡る基部と、この基部の両側から相互に略直角を成すよう外方に延在する内側挟持辺と、基部の下縁に設けられた取付辺とを有し、この取付辺が断熱壁に固定され、内側挟持辺はコーナー部において相互に付き合わされる透明板の各端部を内側から保持すると共に、カバー部材は、両側部に設けられた外側挟持辺を有し、上下が支柱部材に固定され、外側挟持辺は、透明板の各端部を外側から保持することを特徴とする。
【００１０】
本発明によれば、上面に開口する断熱壁の開口縁に透明板を立設して成るショーケースにおいて、断熱壁のコーナー部に立設された支柱部材と、この支柱部材に外側から固定されたカバー部材とを備え、支柱部材は、上下に渡る基部と、この基部の両側から相互に略直角を成すよう外方に延在する内側挟持辺と、基部の下縁に設けられた取付辺とを有し、この取付辺が断熱壁に固定され、内側挟持辺はコーナー部において相互に付き合わされる透明板の各端部を内側から保持すると共に、カバー部材は、両側部に設けられた外側挟持辺を有し、上下が支柱部材に固定され、外側挟持辺は、透明板の各端部を外側から保持するので、断熱壁のコーナー部において付き合わされる透明板の各端部は、支柱部材の内側挟持辺とカバー部材の外側挟持辺とに挟持される。そして、支柱部材は断熱壁に固定されると共に、カバー部材は上下が支柱部材に固定されるので、各透明板のコーナー部における強度が著しく向上し、破損や位置ズレの危険性を低減できるものである。
【００１１】
請求項２の発明のショーケースは、上記において支柱部材は、内側挟持辺の上縁に構成され、透明板の各上面を抑える抑え辺を備えると共に、透明板の各端部上面間に渡って支柱部材に取り付けられ、当該支柱部材及びカバー部材に被さるコーナーキャップを設けたことを特徴とする。
【００１２】
請求項２の発明によれば、上記に加えて支柱部材には、内側挟持辺の上縁に構成され、透明板の各上面を抑える抑え辺を設けたので、透明板の浮き上がりもこの抑え辺にて阻止できる。また、コーナーキャップを透明板の各端部上面間に渡って支柱部材に取り付け、支柱部材及びカバー部材に被せたので、外観が向上し、透明板の位置ズレ防止効果も一層向上するものである。
【００１３】
【発明の実施の形態】
次に、図面に基づき本発明の実施形態を詳述する。図１は本発明の実施形態としての平型ショーケース１の側面図、図２は平型ショーケース１のコーナー部の拡大分解斜視図、図３は同じく平型ショーケース１のコーナー部の拡大透視平面図である。
【００１４】
本発明のショーケース１は、スーパーマーケットなどの店舗に設置される所謂平型の低温ショーケースであり、図１に示す如く上方に向けて矩形状に開口し、内部に上面開口の貯蔵室３が形成された断熱壁（断熱箱体）６にて本体が構成されている。この断熱壁６の下部には機械室７が構成されており、この機械室７内には貯蔵室３を冷却するための冷却装置を構成する図示しない圧縮機や凝縮器などが設置されている。
【００１５】
また、貯蔵室３の底部には、図示しないワイヤラック上に図示しないデックパンと称される所定面積の商品載置板が載置され、この下方に図示しないダクト（循環路）を形成すると共に、このダクト内に冷却装置の蒸発器と送風機が設けられ、この蒸発器にて冷却された冷気を送風機によって、開口の一方の縁部に形成した図示しない吐出口から対向する他方の縁部に形成した吸込口に向けて吐出している。これによって、貯蔵室３の開口にはエアーカーテンを形成しつつ、貯蔵室３内を所定の温度に冷却している。
【００１６】
一方、断熱壁６の開口縁の各辺外側には、バンパー５が取り付けられており、断熱壁６の外面下部にもバンパー９が取り付けられている。また、断熱壁６の開口縁の各辺には、二重ガラスなどから成る合計四枚の透明板４・・・が立設されている。そして、これら各辺の透明板４・・・が相互に付き合わされる断熱壁６のコーナー部にはコーナー支柱８が設けられている。
【００１７】
このコーナー支柱８は、鋼板製の支柱部材１１と、塗装鋼板製のカバー部材１２と、樹脂製のコーナーキャップ１３などから構成されている。尚、断熱壁６のコーナー部上面にはネジ孔１４を有する取付板１６が取り付けられているものとする。
【００１８】
前記支柱部材１１は鋼板を屈曲して構成されており、図２に示す如く中央で上下に渡る基部２１と、この基部２１の両側から略４５度の角度で屈曲され、後退して相互に略直角を成すよう外方に延在する内側挟持辺２２、２２と、これら内側挟持辺２２、２２の上縁を前方に略直角に折曲して構成された抑え辺２３、２３と、基部２１の下縁から前方に延在する取付辺２４とから成る。
【００１９】
そして、内側挟持辺２２、２２の内側の上下にはネジ孔２６、２６がそれぞれ穿設されると共に、取付辺２４にもネジ孔２７が穿設されている。
【００２０】
一方、カバー部材１２は塗装鋼板を折曲することにより、全体としては直角を構成するよう所定曲率で湾曲された形状を呈している。そして、その両側部には外側挟持辺２８、２８が構成されており、この外側挟持辺２８、２８の端部は密着曲げにて折り返されている。
【００２１】
そして、この折り返し辺は少許内方に延在した後、再び後方に略直角に折曲され、そこに連結辺２９、２９を構成した後、再び略直角に内方に折曲されてそこに固定辺３１、３１を構成している。
【００２２】
この固定辺３１、３１の上下にはネジ孔３２が形成されると共に、前記連結辺２９の幅は前記透明板４の幅と略同一とされている。
【００２３】
他方、前記コーナーキャップ１３は下方及び側方に開口した断面略コ字状を呈しており、全体としてはカバー部材１２と同様に直角を構成するように所定曲率で湾曲された形状を呈している。そして、前記コの字の内寸は前記透明板４の上面が略キッチリと収まる寸法とされており、後面両側部にはネジ孔３３が形成されている。
【００２４】
以上の構成で、コーナー支柱８の取付手順を説明する。先ず、断熱壁６のコーナー部において相互に付き合わされている透明板４、４の各端部間に後方（貯蔵室３側から支柱部材１１を宛う。このとき、両側の内側挟持辺２２、２２は各透明板４、４の端部の内面に宛われて当接すると共に、抑え辺２３、２３は両透明板４、４の上面に当接若しくは近接する。また、取付辺２４は両透明板４、４間の間隔から外側に延在して断熱壁６の取付板１６上に載置され、ネジ孔２７はネジ孔１４に合致する。
【００２５】
この状態で、取付辺２４と取付板１６のネジ孔２７、１４にネジ３６を上から挿入し、取付板１６に螺着することにより、支柱部材１１を取付板１６に固定し、断熱壁６のコーナー部に立設する。
【００２６】
次ぎに、カバー部材１２を外側から支柱部材１１に宛う。このとき、カバー部材１２の両側の外側挟持辺２８、２８は各透明板４、４の端部の外面に宛われて当接する。また、連結辺２９、２９は両透明板４、４間の間隔から内側に侵入し、両透明板４、４の端面に当接若しくは近接すると共に、固定辺３１、３１は支柱部材１１に当接し、ネジ孔３２、３２はネジ孔２６、２６に合致する。
【００２７】
この状態で、支柱部材１１と固定辺３１、３１の下側のネジ孔２６、３２にネジ３７を後方から挿入し、固定辺３１、３１に螺着することにより、カバー部材１２下部を支柱部材１１に固定する。
【００２８】
そして、最後にコーナーキャップ１３を支柱部材１１、カバー部材１２及び両透明板４、４の端部上面間に渡って被せ、ネジ孔３３を上側のネジ孔２６に合致させ、これらネジ孔３３、２６と固定辺３１、３１の上側のネジ孔３２にネジ３８を後方から挿入し、固定辺３１、３１に螺着することにより、コーナーキャップ１３を支柱部材１１に固定する。
【００２９】
これにより、断熱壁６のコーナー部において付き合わされる透明板４、４の各端部は、支柱部材１１の内側挟持辺２２、２２とカバー部材１２の外側挟持辺２８、２８とに挟持されると共に、支柱部材１１自体は断熱壁６の取付板１６に固定されているので、各透明板４、４のコーナー部における強度は著しく向上する。
【００３０】
また、支柱部材１１には、コーナー部において相互に付き合わされる透明板４、４の各上面を抑える抑え辺２３、２３を設けたので、透明板４、４の浮き上がりもこの抑え辺２３、２３にて阻止できる。更に、連結辺２９、２９は透明板４、４の端面に当接若しくは近接しているので、透明板４、４の水平方向でのズレも阻止できる。
【００３１】
そして、コーナーキャップ１３を透明板４、４の各端部上面間に渡って支柱部材１１に取り付け、支柱部材１１及びカバー部材１２に被せているので、外観が向上し、透明板４、４の位置ズレ防止効果も一層向上する。
【００３２】
【発明の効果】
以上詳述した如く本発明によれば、上面に開口する断熱壁の開口縁に透明板を立設して成るショーケースにおいて、断熱壁のコーナー部に立設された支柱部材と、この支柱部材に外側から固定されたカバー部材とを備え、支柱部材は、上下に渡る基部と、この基部の両側から相互に略直角を成すよう外方に延在する内側挟持辺と、基部の下縁に設けられた取付辺とを有し、この取付辺が断熱壁に固定され、内側挟持辺はコーナー部において相互に付き合わされる透明板の各端部を内側から保持すると共に、カバー部材は、両側部に設けられた外側挟持辺を有し、上下が支柱部材に固定され、外側挟持辺は、透明板の各端部を外側から保持するので、断熱壁のコーナー部において付き合わされる透明板の各端部は、支柱部材の内側挟持辺とカバー部材の外側挟持辺とに挟持される。そして、支柱部材は断熱壁に固定されると共に、カバー部材は上下が支柱部材に固定されるので、各透明板のコーナー部における強度が著しく向上し、破損や位置ズレの危険性を低減できるものである。
【００３３】
請求項２の発明によれば、上記に加えて支柱部材には、内側挟持辺の上縁に構成され、透明板の各上面を抑える抑え辺を設けたので、透明板の浮き上がりもこの抑え辺にて阻止できる。また、コーナーキャップを透明板の各端部上面間に渡って支柱部材に取り付け、支柱部材及びカバー部材に被せたので、外観が向上し、透明板の位置ズレ防止効果も一層向上するものである。
【図面の簡単な説明】
【図１】  本発明の実施例としての平型ショーケースの側面図である。
【図２】  図１の平型ショーケースのコーナー部の拡大分解斜視図である
【図３】  図１の平型ショーケースのコーナー部の拡大透視平面図である。
【図４】  従来の平型ショーケースのコーナー部の分解斜視図である。
【図５】  図４の平型ショーケースのバンパーのコーナー部の斜視図である。
【図６】  もう一つの従来の平型ショーケースのコーナー部の拡大分解斜視図である。
【符号の説明】
１  平型ショーケース
４  透明板
６  断熱壁
８  コーナー支柱
１１  支柱部材
１２  カバー部材
１３  コーナーキャップ
１６  取付板
２２  内側挟持辺
２３  抑え辺
２４  取付辺
２８  外側挟持辺
２９  連結辺
３１  固定辺
３６、３７、３８  ネジ
【図１】
0003825575.tif 000002
【図２】
0003825575.tif 000003
【図３】
0003825575.tif 000004
【図４】
0003825575.tif 000005
【図５】
0003825575.tif 000006
【図６】
0003825575.tif 000007